(57)【要約】音声信号をスピーカ装置に伝達するように動作可能なコンピュータとともに使用するのに適したスピーカ装置。スピーカ装置は、上部部分と、上部部分に隣接する本体部分とを有するハウジングを含む。ハウジングは、接続モジュール及びスピーカドライバアレイを支持するように構成されうる。接続モジュールはスピーカ装置とコンピュータとを接続するように構成されうる。スピーカドライバアレイは第１のスピーカドライバ及び第２のスピーカドライバを含みうる。第１のスピーカドライバと第２のスピーカドライバとは積み重ね構成で配置されうる。積み重ね構成は、第１のスピーカドライバが第２のスピーカの上に配置され、且つ第１のスピーカドライバと第２のスピーカドライバとが異なる方向を向くようなものとされうる。【選択図】図１ａ
2015502109.tif 000002
【特許請求の範囲】
【請求項１】
スピーカ装置であって、音声信号を当該スピーカ装置に伝達するように動作可能なコンピュータとともに使用するのに適したスピーカ装置であり、
上部部分と本体部分とを有するハウジングであって、前記上部部分が前記本体部分に隣接しており、
当該スピーカ装置と前記コンピュータとを接続するための接続モジュールと、
第１のスピーカドライバと第２のスピーカドライバとを備えるスピーカドライバアレイであって、前記第１のスピーカドライバが前記第２のスピーカドライバの上に配置可能であるように、且つ前記第１のスピーカドライバと前記第２のスピーカドライバとが異なる方向を向くように、前記第１のスピーカドライバと前記第２のスピーカドライバとが積み重ね構成で配置されている、スピーカドライバアレイと、
を支持するように構成可能である、ハウジングと、
を備える、スピーカ装置。
【請求項２】
前記ハウジングの前記本体部分が前記コンピュータによって実質的に隠れ、且つ前記ハウジングの前記上部部分が前記コンピュータを越えて実質的に突出するような方法で前記コンピュータの背後に配置可能であり、
前記スピーカドライバアレイが前記ハウジングの前記上部部分に収容可能である、
請求項１に記載のスピーカ装置。
【請求項３】
前記積み重ね構成において、前記第１のスピーカドライバと前記第２のスピーカドライバとが異なる方向を向くような方法で前記第１のスピーカドライバと前記第２のスピーカドライバとが角度的にずれており、
前記第１のスピーカドライバに実質的に付随する第１の放射方向と前記第１のスピーカドライバを関連付けることができ、前記第２のスピーカドライバに実質的に付随する第２の放射方向と前記第２のスピーカドライバを関連付けることができ、前記第１の放射方向及び前記第２の放射方向を角変位の程度に一致する交差角度と関連付けることができる、
請求項２に記載のスピーカ装置。
【請求項４】
前記ハウジングが、更に、前記接続モジュールと前記スピーカドライバアレイとに接続された処理モジュールを支持するように構成可能であり、
前記コンピュータからの音声信号が、出力信号を生成するための処理のために前記処理モジュールに伝達可能であり、前記出力信号が出力のために前記スピーカドライバアレイに伝達可能である、請求項２に記載のスピーカ装置。
【請求項５】
前記出力信号が、第１セットの出力信号及び第２セットの出力信号を含み、前記第１セットの出力信号及び前記第２セットの出力信号がそれぞれ前記第１のスピーカドライバ及び前記第２のスピーカドライバによって出力される、
請求項４に記載のスピーカ装置。
【請求項６】
前記積み重ね構成において、前記第１のスピーカドライバと前記第２のスピーカドライバとが異なる方向を向くような方法で前記第１のスピーカドライバと前記第２のスピーカドライバとが角度的にずれており、
前記第１のスピーカドライバに実質的に付随する第１の放射方向と前記第１のスピーカドライバを関連付けることができ、前記第２のスピーカドライバに実質的に付随する第２の放射方向と前記第２のスピーカドライバを関連付けることができ、
前記第１の放射方向及び前記第２の放射方向が、前記第１のスピーカドライバ及び前記第２のスピーカドライバそれぞれからの、前記第１セットの出力信号及び前記第２セットの出力信号それぞれの放出の基本的な方向を示す、
請求項５に記載のスピーカ装置。
【請求項７】
前記第１のスピーカドライバ及び前記第２のスピーカドライバそれぞれからの、前記第１セットの出力信号及び前記第２セットの出力信号の放出が前記コンピュータによって実質的に妨げられない、請求項６に記載のスピーカ装置。
【請求項８】
前記処理モジュールが、前記音声信号を増幅するような方法で前記音声信号を処理するように構成可能であり、
前記出力信号が増幅された前記音声信号に相当する、
請求項４に記載のスピーカ装置。
【請求項９】
前記ハウジングが、更に、前記処理モジュールに接続される音検知アレイを支持するように構成可能であり、前記音検知アレイが前記音検知アレイ近傍の領域内の音声入力を検知するように構成可能である、
請求項４に記載のスピーカ装置。
【請求項１０】
前記処理モジュールが、前記接続モジュール及び前記スピーカドライバアレイの少なくとも１つに伝達可能な中間信号を生成するために、検知された音声入力を処理するように構成可能であり、
前記処理モジュールが、前記中間信号を生成するために音響エコーキャンセレーション技術及びノイズフィルタリング技術の少なくとも１つを使用して、前記検知された音声入力を処理するように構成可能である、
請求項９に記載のスピーカ装置。
【請求項１１】
前記ハウジングが、更に、前記処理モジュールに接続される周辺部を支持するように構成可能であり、前記周辺部が、補助デバイスと当該スピーカ装置との間における信号伝達を促進することが可能な周辺デバイスを収容するように構成可能である、
請求項４に記載のスピーカ装置。
【請求項１２】
前記本体部分が、前記上部部分の、前記コンピュータを越える突出の程度が可変であるように、前記本体部分を可変的に伸長させる及び短縮させるうちの１つのような手法で可変的に調節可能である、請求項２に記載のスピーカ装置。
【請求項１３】
前記ハウジングが着脱可能に結合されている基部部分を更に備え、
前記ハウジングが前記基部部分において回転可能である、
請求項１に記載のスピーカ装置。
【請求項１４】
前記上部部分が、第１の回転可能な部分及び第２の回転可能な部分を備え、
前記第１のスピーカドライバが前記第１の回転可能な部分内に収容可能であり、前記第２のスピーカドライバが前記第２の回転可能な部分内に収容可能であり、
前記第１のスピーカドライバと前記第２のスピーカドライバとが互いに対して旋回することが可能である、
請求項１に記載のスピーカ装置。
【請求項１５】
スピーカ装置であって、スクリーンを有し且つ音声信号を当該スピーカ装置に伝達するように動作可能なコンピュータとともに使用するのに適したスピーカ装置であり、
上部部分と本体部分とを有するハウジングであって、前記上部部分が前記本体部分に隣接しており、
前記音声信号が処理のために前記コンピュータから当該スピーカ装置に伝達可能であるような方法で当該スピーカ装置と前記コンピュータとを接続するための接続モジュールと、
前記音声信号を受信するような方法で前記接続モジュールに接続された処理モジュールであって、前記音声信号が、出力信号を生成するような方法で前記処理モジュールによって処理可能である、処理モジュールと、
前記出力信号を受信するような方法で前記処理モジュールに接続されたスピーカドライバアレイであって、前記出力信号を前記スピーカドライバアレイによって出力することが可能であり、前記スピーカドライバアレイが第１のスピーカドライバと第２のスピーカドライバとを備え、前記第１のスピーカドライバが前記第２のスピーカドライバの上に配置可能であるように、且つ前記第１のスピーカドライバと前記第２のスピーカドライバとが異なる方向を向くように前記第１のスピーカドライバと前記第２のスピーカドライバとが積み重ね構成で配置されており、前記スピーカドライバアレイが前記ハウジングの前記上部部分に収容可能である、スピーカドライバアレイと、
を支持するように構成可能である、ハウジング
を備え、
前記ハウジングの前記本体部分が前記コンピュータの前記スクリーンによって実質的に隠れ、且つ前記ハウジングの前記上部部分が前記コンピュータの前記スクリーンを越えて実質的に突出するような方法で前記コンピュータの背後に配置可能である、
スピーカ装置。
【発明の詳細な説明】
【技術分野】
【０００１】
本開示は、全般的に、音声信号の出力に適したスピーカドライバに関する。特に、本開示の種々の実施形態は、コンピュータから伝達可能な音声信号を処理し且つ出力するような手法でコンピュータとともに使用するのに適したスピーカ装置に関する。
【背景技術】
【０００２】
コンピュータは、一般に、使用者にデータ処理及び娯楽目的で使用される。特に、コンピュータはＭＰ３／ＭＰ４ファイル、ＡＡＣファイル及び／又はＷＡＶファイルなどの音声ファイルを処理するために使用されうる。音声ファイルは、コンピュータを使用する使用者の音声娯楽用に音楽などの音声信号を出力できるような方法で処理されうる。特に、音声信号は、コンピュータの使用者が音声信号を聞き取れる程度に認識できるような方法で出力されうる。
【０００３】
音声信号はステレオベースの音声信号とされうる。具体的には、音声信号は、左チャンネル音声信号及び右チャンネル音声信号を含みうる。左チャンネル音声信号及び右チャンネル音声信号は、一般に、使用者の左耳及び右耳それぞれによる音声認識に適している。
【０００４】
音声信号を出力するための従来技術にはコンピュータにスピーカを備えているものが含まれる。特に、通常、左チャンネルスピーカ及び右チャンネルスピーカが設けられており、コンピュータにケーブル接続されている。
【０００５】
特に、左チャンネルスピーカはコンピュータの左側に接続されており、右チャンネルスピーカはコンピュータの右側に接続されている。左チャンネルスピーカ及び右チャンネルスピーカは、左チャンネル音声信号及び右チャンネル音声信号をそれぞれ出力するように構成されうる。このようにして、コンピュータに向かう使用者は音声信号のステレオ効果を享受することができる。
【発明の概要】
【発明が解決しようとする課題】
【０００６】
残念ながら、音声信号を出力するための従来技術では、適切に効率的手法で音声信号の出力を促進することができない場合がある。
【０００７】
例えば、コンピュータの使用者が音声信号のステレオ効果を享受するにはスピーカをコンピュータの各側に配置する必要がある。従って、コンピュータの両側にスピーカを配置するためのスペースがなければならない。
【０００８】
更に、通常、スピーカはコンピュータにケーブル接続されるため、コンピュータの周囲に絡まるケーブルもまた重要な課題になると考えられる。
【０００９】
従って、前述の、従来技術の課題の少なくとも１つに対処するための解決策を提供することが望ましい。
【課題を解決するための手段】
【００１０】
本開示の一態様においては、スピーカ装置を提供する。好ましくは、スピーカ装置はスクリーンを有するコンピュータとの使用に適している。コンピュータは音声信号をスピーカ装置に伝達するために動作されうる。
【００１１】
スピーカ装置はハウジングを含みうる。ハウジングは上部部分及び本体部分を含みうる。上部部分は本体部分に隣接しうる。
【００１２】
ハウジングは、接続モジュール及びスピーカドライバアレイを支持するように構成されうる。ハウジングは、更に、処理モジュールを支持するように構成されうる。接続モジュール及びスピーカドライバアレイは処理モジュールに接続されうる。
【００１３】
接続モジュールは、スピーカ装置とコンピュータとを接続するように構成されうる。例えば、接続モジュールは、音声信号が処理のためにコンピュータからスピーカ装置に伝達されうるような方法でスピーカ装置とコンピュータとを接続するように構成されうる。
【００１４】
処理モジュールは音声信号を受信するような方法で接続モジュールに接続されうる。処理モジュールは、音声信号を、出力信号を生成するような方法で処理するように構成されうる。
【００１５】
スピーカドライバアレイは出力信号を受信するような方法で処理モジュールに接続されうる。出力信号はスピーカドライバアレイによって出力されうる。
【００１６】
スピーカドライバアレイは第１のスピーカドライバ及び第２のスピーカドライバを含みうる。第１のスピーカドライバと第２のスピーカドライバは、第１のスピーカドライバが第２のスピーカドライバの上に配置されうるように、且つ第１のスピーカドライバと第２のスピーカドライバとが異なる方向を向くように積み重ね構成で配置されうる。スピーカドライバアレイは、例えば、ハウジングの上部部分に収容されうる。
【００１７】
好ましくは、スピーカ装置は、ハウジングの本体部分がコンピュータのスクリーンによって実質的に隠れ、且つハウジングの上部部分がコンピュータのスクリーンを越えて実質的に突出するような方法で、コンピュータの背後に配置されうる。
【００１８】
加えて、ハウジングは、更に、音検知アレイを支持するように構成されうる。音検知アレイは処理モジュールに接続されうる。音検知アレイは音検知アレイ近傍の領域内の音声入力を検知するように構成されうる。
【００１９】
加えて、ハウジングは、更に、周辺部を支持するように構成されうる。周辺部は処理モジュールに接続されうる。周辺部は周辺デバイスを収容するように構成されうる。周辺デバイスは補助デバイスとスピーカ装置との間における信号伝達を促進することを可能にできる。
【００２０】
加えて、スピーカ装置は、更に、ハウジングを着脱可能に結合することができる基部部分を含みうる。好ましくは、ハウジングは基部部分において回転可能である。
【００２１】
以下の図面を参照して本開示の実施形態を以下に記載する。
【図面の簡単な説明】
【００２２】
【図１ａ】本開示の一実施形態による、スピーカドライバアレイと、音検知アレイと、処理モジュールと、接続モジュールと、周辺部とを支持するように構成可能なハウジングを含むスピーカ装置の前面図である。
【図１ｂ】本開示の一実施形態による、図１ａのスピーカ装置の頂面図である。
【図２】本開示の一実施形態による、スピーカドライバアレイと、音検知アレイと、接続モジュールと、周辺部とに接続されうる図１ａのスピーカ装置の処理モジュールを更に詳細に示す。
【図３】本開示の一実施形態による、図１ａのスピーカ装置がコンピュータなどのデバイスに接続されうる場合の例示的用途を示す。
【発明を実施するための形態】
【００２３】
従来技術に関連する前述の課題の１つ又は複数に対処するための本開示の代表的実施形態を、以下、図１〜図３を参照して記載する。
【００２４】
本開示の一実施形態によるスピーカ装置１００を図１ａ及び図１ｂに示す。図１ａは、スピーカ装置１００の前面図である。図１ｂは、スピーカ装置１００の頂面図である。
【００２５】
図１ａを参照すると、スピーカ装置１００は、ハウジング１０２と、任意選択的に、基部部分１０３とを含みうる。ハウジング１０２は、例えば、シャーシとされうる。
【００２６】
スピーカ装置１００は、更に、スピーカドライバアレイ１０４と、音検知アレイ１０６と、処理モジュール１０８と、接続モジュール１１０とを含みうる。スピーカ装置１００は、任意選択的に、周辺部１１２を含みうる。
【００２７】
ハウジング１０２は基部部分１０３に結合されうる。好ましくは、ハウジング１０２は基部部分１０３に着脱可能に結合されうる。加えて、ハウジング１０２は、更に、ハウジング１０２が基部部分１０３において回転可能であるように基部部分１０３に結合されうる。
【００２８】
更に、ハウジング１０２は上部部分１０２ａ及び本体部分１０２ｂを含みうる。図示されるように、上部部分１０２ａは本体部分１０２ｂに隣接している。更に、ハウジング１０２が基部部分１０３に結合されているとき、本体部分１０２ｂは上部部分１０２ａと基部部分１０３との間にある。
【００２９】
図示されるように、ハウジング１０２は、スピーカドライバアレイ１０４と、音検知アレイ１０６と、処理モジュール１０８と、接続モジュール１１０と、周辺部１１２とを支持するように構成されうる。
【００３０】
１つの例示的構成においては、ハウジング１０２は、スピーカドライバアレイ１０４及び音検知アレイ１０６が上部部分１０２ａに収容されうるように構成されうる。ハウジング１０２は、更に、処理モジュール１０８と、接続モジュール１１０と、周辺部１１２とが本体部分１０２ｂに収容されうるように構成されうる。更に、処理モジュール１０８はハウジング１０２内に収容されうる。図２を参照して後に説明するように、スピーカドライバアレイ１０４と、音検知アレイ１０６と、接続モジュール１１０と、周辺部１１２とは、処理モジュール１０８に接続されうる。
【００３１】
上記の例示的構成に基づき、ハウジング１０２は、更に、スピーカドライバアレイ１０４の出口として１つ又は複数の開口部１１４を設けることができるように構成されうる。好ましくは、上述の１つ又は複数の開口部１１４を覆うような方法でグリル布（不図示）がスピーカ装置１００上に配置されうる。あるいは、上述の１つ又は複数の開口部１１４を覆うために１つ又は複数の着脱式グリル（不図示）が提供されうる。
【００３２】
スピーカドライバアレイ１０４は複数のスピーカドライバを含みうる。具体的には、スピーカドライバアレイ１０４は、例えば、第１のスピーカドライバ１０４ａ及び第２のスピーカドライバ１０４ｂを含みうる。第１のスピーカドライバ１０４ａ及び第２のスピーカドライバ１０４ｂは、第１のスピーカドライバ１０４ａが、例えば、第２のスピーカドライバ１０４ｂの上にあるように積み重ね構成にされうる。加えて、スピーカドライバアレイ１０４のスピーカドライバは、１つのスピーカドライバが別のスピーカドライバに対して角度的にずれているとみなすことができるように角度的を付けて配置／構成されうる。
【００３３】
１つの例においては、第２のスピーカドライバ１０４ｂは、第２のスピーカドライバ１０４ｂが第１のスピーカドライバ１０４ａに対して角度的にずれるように第１のスピーカドライバ１０４ａに対して角度を付けて配置されうる。別の例においては、第１のスピーカドライバ１０４ａは、第１のスピーカ１０４ａが第２のスピーカ１０４ｂに対して角度的にずれるように第２のスピーカドライバ１０４ｂに対して角度を付けて配置されうる。
【００３４】
特に、第１のスピーカドライバ１０４ａ及び第２のスピーカドライバ１０４ｂはそれらが異なる方向を向くように配置されうる。スピーカドライバアレイ１０４、特に、第１のスピーカドライバ１０４ａ及び第２のスピーカドライバ１０４ｂの位置については図１ｂを参照して更に詳細に説明する。
【００３５】
音検知アレイ１０６は複数の音検知デバイスを含みうる。具体的には、音検知アレイ１０６は、例えば、第１の音検知デバイス１０６ａ及び第２の音検知デバイス１０６ｂを含みうる。音検知デバイスの一例はマイクロホンである。第１の音検知デバイス１０６ａと第２の音検知デバイス１０６ｂとは離間し、スピーカドライバアレイ１０４の上に配置されうる。第１の音検知デバイス１０６ａ及び第２の音検知デバイス１０６ｂは、例えば、約３．５ｃｍ離間されうる。
【００３６】
加えて、音検知アレイ１０６は声入力などの音声入力を検知するように構成されうる。検知された音声入力は図２を参照して更に詳細に説明するような手法でスピーカ装置１００により処理されうる。
【００３７】
図３を参照して更に詳細に説明するように、接続モジュール１１０は、スピーカ装置１００の、第１のデバイスへの無線接続及び有線接続の１つ又は両方を容易にするように構成されうる。
【００３８】
一実施形態において、接続モジュール１１０は、ユニバーサルシリアルバス（ＵＳＢ）ポートなどの有線ベースの接続ポートを含みうる。この点については、スピーカ装置１００は接続モジュール１１０を介してＵＳＢ接続により第１のデバイスに接続されうる。別の実施形態においては、接続モジュール１１０は無線通信に適したトランシーバを含みうる。この点については、スピーカ装置１００は接続モジュール１１０を介して第１のデバイスに無線で接続されうる。
【００３９】
接続されると、スピーカ装置１００と第１のデバイスは互いに信号伝達するように構成されうる。具体的には、第１のデバイスは音声信号を処理のためにスピーカ装置１００に伝達するように動作しうる。第１のデバイスは左出力音声チャンネル及び右出力音声チャンネルを有しうる。この点については、第１のデバイスから伝達された音声信号は、例えば、左出力音声チャンネル及び右出力音声チャンネルとそれぞれ関連する左チャンネル音声信号及び右チャンネル音声信号を含みうる。
【００４０】
第１のデバイスから伝達された音声信号は、図２を参照して更に詳細に説明するような手法でスピーカ装置１００によって受信及び処理されうる。
【００４１】
周辺部１１２は、周辺デバイスを収容し、処理部１０８に接続するように構成されうるアダプタ部とされうる。周辺デバイスの例には、ドングル、無線アダプタ、Ｂｌｕｅｔｏｏｔｈ（登録商標）ベースのトランシーバ、ＰＣ／ＰＣＭＣＩＡカード又は汎用周辺装置接続（ＰＣＩ）カードを含む。この点については、周辺部１１２は、例えば、周辺デバイスを受け入れ且つ収容するような寸法にされたスロットの形態とされうる。
【００４２】
明らかに、周辺部１１２はスピーカ装置１００と第２のデバイスとの間の信号伝達を促進することが可能である。第２のデバイスは第１のデバイスに対する補助デバイスとされうる。補助デバイスの例には、無線式ヘッドセット、移動電話デバイス及び可搬式メディアプレーヤデバイスが含まれる。
【００４３】
図１ｂを参照すると、例えば、第１のスピーカドライバ１０４ａが第２のスピーカドライバ１０４ｂの上に配置され、且つ第１のスピーカドライバ１０４ａと第２のスピーカドライバ１０４ｂとが異なる方向を向く積み重ね構成で配置される場合、第１のスピーカドライバ１０４ａ及び第２のスピーカドライバ１０４ｂはそれぞれ第１の放射方向１１６ａ及び第２の放射方向１１６ｂに関連付けられうる。
【００４４】
第１の放射方向１１６ａは第１のスピーカドライバ１０４ａから音／音声が放出される基本的な方向を示しうる。図示されるように、第１の放射方向１１６ａは第１のスピーカドライバ１０４ａに実質的に付随しうる。第２の放射方向１１６ｂは第２のスピーカドライバ１０４ｂから音／音声が放出される基本的な方向を示しうる。図示されるように、第２の放射方向１１６ｂは第２のスピーカドライバ１０４ｂに実質的に付随しうる。
【００４５】
加えて、第１の放射方向１１６ａ及び第２の放射方向１１６ｂは交点１１６ｃにおいて交差しうる。この点については、第１の放射方向１１６ａ及び第２の放射方向１１６ｂは交差角度１１６ｄと関連付けられうる。前述の手法においては、スピーカドライバアレイ１０４のスピーカドライバは、１つのスピーカドライバが別のスピーカドライバに対して角度的にずれているとみなすことができるように角度を付けて配置／構成されうる。角変位の程度は交差角度１１６ｄに一致しうる。
【００４６】
一実施形態においては、第１のスピーカドライバ１０４ａ及び第２のスピーカドライバ１０４ｂは、交差角度１１６ｄが１５度〜１８０度の角度であるように構成／配置されうる。この点については、第１のスピーカドライバ１０４ａ及び第２のスピーカドライバ１０４ｂは交差角度が１５度〜１８０度の角度で固定されるように固定配置で配置されうることが考えられる。
【００４７】
別の実施形態においては、第１のスピーカドライバ１０４ａ及び第２のスピーカドライバ１０４ｂは交差角度１１６ｄを変更することができるように構成／配置されうる。特に、交差角度１１６ｄは１５度〜１８０度において変更することができる。この点については、第１のスピーカドライバ１０４ａ及び第２のスピーカドライバ１０４ｂは交差角度を所望のように変更することができるように可変配置において配置されうることが考えられる。
【００４８】
可変配置は、例えば、旋回配置の状態とされうる。例えば、上部部分１０２ａは、スピーカドライバアレイ１０４のスピーカドライバのそれぞれが回転可能部分又は旋回部分により支持されうるように複数の回転可能部分又は旋回部分（不図示）を含みうる。
【００４９】
例えば、第１のスピーカドライバ１０４ａは第１の回転可能部分又は旋回部分によって支持されうる。第２のスピーカドライバ１０４ｂは第２の回転可能部分又は旋回部分によって支持されうる。明らかに、第１の回転部分及び第２の回転部分の１つ又は両方を回転又は旋回させることによって、第１のスピーカドライバ１０４ａ及び第２のスピーカドライバ１０４ｂのそれぞれ第１の放射方向１１６ａ及び第２の放射方向１１６ｂを変更することができる。このようにして、第１のスピーカドライバ１０４ａと第２のスピーカドライバ１０４ｂは互いに対して回転／旋回することができるため、交差角度１１６ｄが変更される。
【００５０】
更に、図１ａ及び図１ｂに示すように、スピーカ装置１００はタワーの形態とされうる。この点については、スピーカ装置１００はタワースピーカとされうる。加えて、ハウジング１０２は実質的に六角形とすることができる。基本幾何学的形状又は幾何学的基本形などの他の形状も有用とされうると考えられる。
【００５１】
先に述べたように、スピーカ装置１００は音声信号を処理のためにスピーカ装置１００に伝達するように動作可能な第１のデバイスに接続されうる。同様に先に述べたように、音検知アレイ１０６によって検知された音声入力はスピーカ装置１００によって処理されうる。
【００５２】
特に、伝達された音声信号及び検知された音声入力は処理モジュール１０８によって以下に図２を参照して更に詳細に説明するような手法で処理されうる。
【００５３】
図示されるように、スピーカドライバアレイ１０４と、音検知アレイ１０６と、接続モジュール１１０とは、処理モジュール１０８に接続されうる。処理モジュール１０８は、更に、周辺部１１２に接続されうる。
【００５４】
処理モジュール１０８は音声処理部１２０及び検知処理部１２２を含みうる。処理モジュール１０８は、更に、検知制御部１２４を含みうる。検知処理部１２２は、第１の処理セグメント１２２ａ及び第２の処理セグメント１２２ｂを含みうる。
【００５５】
音声処理部１２０は、接続モジュール１１０とスピーカドライバアレイ１０４とに接続されうる。
【００５６】
検知処理部１２２は音検知アレイ１０６に接続されうる。更に、検知処理部１２２は、更に、接続モジュール１１０及び音声処理部１２０の１つ又は両方に接続されうる。検知処理部１２２は、任意選択的に、スピーカドライバアレイ１０４に接続されうる（不図示）。
【００５７】
検知制御部１２４は音検知アレイ１０６に接続されうる。検知制御部１２４は、任意選択的に、更に、接続モジュール１１０、音声処理部１２０、検知処理部１２２、又はそれらの任意の組み合わせのいずれかに接続されうる（不図示）。
【００５８】
音声処理部１２０は、以下に説明するように、出力信号を生成するような方法で音声信号を処理するように構成されうる。
【００５９】
生成される出力信号はスピーカドライバアレイ１０４の複数のスピーカドライバに対応する複数セットの出力信号を含みうる。好ましくは、出力信号のセットの数はスピーカドライバアレイ１０４内のスピーカドライバの数に一致する。例えば、スピーカドライバアレイ１０４が第１のスピーカドライバ１０４ａ及び第２のスピーカドライバ１０４ｂを含む場合、生成される出力信号は、同様に、第１セットの出力信号及び第２セットの出力信号を含みうる。
【００６０】
一実施形態において、音声処理部１２０は、音声信号を、それらを増幅するような手法で処理することができる。この点については、処理モジュール１０８から伝達された出力信号は増幅された音声信号に相当しうる。
【００６１】
先に述べたように、第１のデバイスから伝達された音声信号は、例えば、左チャンネル音声信号及び右チャンネル音声信号を含みうる。この点については、第１セットの出力信号及び第２セットの出力信号は、例えば、それぞれ増幅された左チャンネル音声信号及び増幅された右チャンネル音声信号に相当しうる。
【００６２】
別の実施形態においては、音声処理部１２０は、音声信号を増幅し、且つ音声信号内の周波数成分間の平衡を調整するような手法で音声信号を処理することができる。この点については、処理モジュール１０８から伝達された出力信号は、周波数処理もされている、増幅された音声信号に相当しうる。
【００６３】
先に述べたように、第１のデバイスから伝達された音声信号は、例えば、左チャンネル音声信号及び右チャンネル音声信号を含みうる。この点については、第１セットの出力信号及び第２セットの出力信号は、例えば、それぞれ周波数処理済みの増幅された左チャンネル音声信号及び周波数処理済みの増幅された右チャンネル音声信号に相当しうる。
【００６４】
出力信号はスピーカドライバアレイ１０４に伝達されうる。スピーカドライバアレイ１０４は出力信号を出力するように構成されうる。例えば、第１セットの出力信号は第１のスピーカドライバ１０４ａによって出力されうる。第２セットの出力信号は第２のスピーカドライバ１０４ｂによって出力されうる。
【００６５】
検知処理部１２２は、以下に説明するように、検知された音声入力を、中間信号を生成するような手法で処理するように構成されうる。
【００６６】
検知された音声入力は第１の処理セグメント１２２ａ及び第２の処理セグメント１２２ｂの１つ又は両方によって処理されうる。第１の処理セグメント１２２ａは音響エコーキャンセレーション（ＡＥＣ）モジュールに相当しうる。第２の処理セグメント１２２ｂはノイズ除去モジュールに相当しうる。
【００６７】
第１の処理セグメント１２２ａは、不要なフィードバック信号を実質的に除去するような手法で、検知された音声入力を処理するように構成されうる。フィードバック信号は音声入力のエコーに相当しうる。この点については、第１の処理セグメント１２２ａは従来のＡＥＣ技術の使用により不要なフィードバック信号を除去することができる。
【００６８】
第２の処理セグメント１２２ｂは、音声入力に伴う可能性のあるスプリアス信号を低減するような手法で、検知された音声入力を処理するように構成されうる。スプリアス信号は、例えば、ヒス雑音信号、ファン雑音信号及び真空雑音信号などの雑音信号とされうる。この点については、第２の処理セグメント１２２ｂは、ノイズフィルタリング技術などの従来のノイズ除去技術を使用することにより音声入力に伴うスプリアス信号を低減することができる。
【００６９】
従って、中間信号はＡＥＣ技術及びノイズ除去技術の１つ又は両方を使用して処理された音声入力に基づくものとされうる。
【００７０】
一実施形態においては、中間信号は接続モジュール１１０から、例えば、第１のデバイスに伝達されうる。
【００７１】
別の実施形態においては、中間信号は、更なる処理を行い処理済みの中間信号を生成するために音声処理部１２０に伝達されうる。この点については、音声処理部１２０による音声信号の処理についての前述の説明が同様に当てはまる。処理済みの中間信号は、更に、スピーカドライバアレイ１０４（出力のため）及び接続モジュール１１０（例えば、第１のデバイスへの更なる伝達のため）の１つ又は両方に伝達されうる。
【００７２】
更に別の実施形態においては、中間信号は出力のためにスピーカドライバアレイ１０４に伝達されうる。
【００７３】
検知制御部１２４は、音検知アレイ１０６を以下に更に詳細に説明するような手法で制御するように構成されうる。
【００７４】
特に、検知制御部１２４は、検知制御部１２４近傍の領域内の音声入力を検知するような手法で音検知アレイ１０６を制御するように構成されうる。特に、検知制御部１２４と音検知アレイ１０６の組み合わせにおいては、従来のビーム形成技術を使用することにより、ある領域内の音声入力を検知することができる。この領域の外側の音声入力は無視されうる。この領域はくさび形の領域とされうる。この点については、検知制御部１２４はビーム形成モジュールに相当しうる。
【００７５】
更に、音検知アレイ１０６を制御するために制御信号が検知制御部１２４から音検知アレイ１０６に伝達されうる。
【００７６】
一実施形態において、検知制御部１２４は、制御信号が検知制御部１２４から発生し且つ伝達されうるようにデフォルトの設定又は既定の設定と関連付けられうる。
【００７７】
別の実施形態においては、制御信号は検知制御部１２４によって受信された入力信号に基づくものとされうる。１つの例においては、入力信号は音声処理部１２０及び検知処理部１２２の１つ又は両方によって発生させることができる。別の例においては、入力信号は検知制御部１２４に接続モジュール１１０を介して伝達されうる。
【００７８】
明らかに、スピーカ装置１００はそれが接続された第１のデバイスによって電力を供給することができる。先に述べたように、スピーカ装置１００は有線接続及び無線接続の１つ又は両方により第１のデバイスに接続されうる。従って、スピーカ装置１００に、例えば、ＵＳＢ接続を介して、及び／又は無線電力／エネルギ移送技術を使用して電力が供給されうる。
【００７９】
１つの例示的場合においては、ＵＳＢ接続を介して第１のデバイスに接続される場合、スピーカ装置１００に電力を供給するために第１のデバイスから電流が供給されうる。具体的には、スピーカドライバアレイ１０４、音検知アレイ１０６、処理モジュール１０８、接続モジュール１１０、周辺部１１２、又はそれらの任意の組み合わせのいずれにも第１のデバイスから供給される電流により電力を供給することができる。明らかに、ＵＳＢ接続を介して供給される電流が制限される場合がある。電流が制限されると電力が制限される可能性があり、更には、スピーカドライバアレイ１０４の音響出力性能に不利に影響する可能性がある。
【００８０】
更に明らかに、上述の例示的場合に基づくと、音声信号を増幅するような手法で音声信号を処理するように音声処理部１２０を構成することによって、先に記載したように、スピーカドライバアレイ１０４の音響出力性能が、有利には、制限された電力に実質的に影響を受けない可能性がある。この点については、スピーカ装置１００に電源を供給するための外部電源を省略することができる。
【００８１】
先に述べたように、スピーカ装置１００は、音声信号を処理のためにスピーカ装置１００に伝達するように動作可能な第１のデバイスに接続されうる。スピーカ装置１００の、第１のデバイスへの接続については以下に更に詳細に説明する。
【００８２】
図３を参照すると、１つの例示的用途３００においては、第１のデバイスはコンピュータ３１０などの電子デバイスとされうる。コンピュータ３１０は、例えば、ワークステーションなどのデスクトップ型コンピュータ又はノート型パソコンなどの可搬式コンピュータとされうる。
【００８３】
コンピュータ３１０は、表示部３１０ａ及び入力部３１０ｂを含みうる。表示部３１０ａは、例えば、表示スクリーンとされうる。入力部３１０ｂは、例えば、キーボードとされうる。コンピュータ３１０は、更に、入出力（Ｉ／Ｏ）ポート及び／又は有線通信及び無線通信の１つ又は両方に適したトランシーバモジュールを有する通信部（不図示）を含みうる。Ｉ／Ｏポートは、例えば、ＵＳＢポートとされうる。
【００８４】
コンピュータ３１０はスピーカ装置１００に接続されうる。具体的には、コンピュータ３１０の通信部はスピーカ装置１００の接続モジュール１１０に接続されうる。更に具体的には、コンピュータ３１０の通信部はスピーカ装置１００の接続モジュール１１０に有線接続及び無線接続の１つ又は両方により接続されうる。
【００８５】
好ましくは、使用者（不図示）はコンピュータ３１０を、データ入力のために入力部３１０ｂを使用することにより使用することができる。入力されたデータは表示データを生成するためにコンピュータ３１０によって処理されうる。表示データは使用者が見るために表示部３１０ａにより表示されうる。
【００８６】
加えて、入力部３１０ｂを用いて、使用者は上述の入力信号を発生させることができる。入力信号は、音検知アレイ１０６を制御するための制御信号を発生させるために検知制御部１２４に伝達されうる。更に、音検知アレイ１０６は、図２を参照して先に記載したように、使用者からの声入力などの音声入力を検知するような手法で構成されうる。
【００８７】
更に、コンピュータ３１０はスピーカ装置１００に電力を供給するように構成されうる。例えば、通信部は、ＵＳＢベースのＩ／Ｏポートを含むことができ、それを介して、スピーカ装置１００に電源を供給するための電流が伝達されうる。具体的には、スピーカ装置１００に電源を供給するための電流は接続モジュール１１０を介して受信されうる。
【００８８】
更に、コンピュータ３１０は音声信号をスピーカ装置１００に伝達するように構成されうる。音声信号は、例えば、ステレオベースの音声信号とされうる。この点については、音声信号は、左チャンネル音声信号及び右チャンネル音声信号を含みうる。左チャンネル音声信号及び右チャンネル音声信号は、コンピュータ３１０の使用者の左耳及び右耳それぞれにより適切に聞き取れる程度に認識されうる音声信号とされうる。
【００８９】
スピーカ装置１００の接続モジュール１１０は有線接続及び無線接続の１つ又は両方によりコンピュータ３１０の通信部に接続されうるため、左チャンネル音声信号及び右チャンネル音声信号は、例えば、コンピュータ３１０の通信部からスピーカ装置１００の接続モジュール１１０に伝達されうる。
【００９０】
接続モジュール１１０を通して受信された左チャンネル音声信号及び右チャンネル音声信号は出力信号を生成するための処理のために処理モジュール１０８に伝達されうる。出力信号は、出力信号が使用者によって聞き取れる程度に認識されうるように出力するためにスピーカドライバアレイ１０４に伝達されうる。
【００９１】
生成される出力信号には、上述の第１セットの出力信号及び上述の第２セットの出力信号を含みうる。第１セットの出力信号及び第２セットの出力信号は、それぞれ第１のスピーカドライバ１０４ａ及び第２のスピーカドライバ１０４ｂによって出力されうる。
【００９２】
一実施形態においては、第１セットの出力信号及び第２セットの出力信号はそれぞれ左チャンネル音声信号及び右チャンネル音声信号に基づくものとされうる。この点については、第１のスピーカドライバ１０４ａは左チャンネルスピーカに相当しうる。第２のスピーカドライバ１０４ｂは右チャンネルスピーカに相当しうる。
【００９３】
別の実施形態においては、第１セットの出力信号及び第２セットの出力信号はそれぞれ右チャンネル音声信号及び左チャンネル音声信号に基づくものとされうる。この点については、第１のスピーカドライバ１０４ａは右チャンネルスピーカに相当しうる。第２のスピーカドライバ１０４ｂは左チャンネルスピーカに相当しうる。
【００９４】
図示されるように、スピーカ装置１００はコンピュータ３１０の背後に配置されうる。コンピュータ３１０の背後に配置される場合、スピーカ装置１００の本体部分１０２ｂはコンピュータ３１０によって実質的に隠すことができる。
【００９５】
具体的には、本体部分１０２ｂは、本体部分１０２ｂがコンピュータ３１０のスクリーン３１０ａに向かう使用者の視界から実質的に遮られうるようにコンピュータ３１０のスクリーン３１０ａによって実質的に隠すことができる。加えて、スピーカ装置１００の上部部分１０２ａはコンピュータ３１０のスクリーン３１０ａを越えて実質的に突出させることができる。具体的には、スクリーン３１０ａに向かう使用者による上部部分１０２ａへの視界が実質的に妨げられないものとされうる。
【００９６】
加えて、スピーカ装置１００は、スピーカ装置１００の上部部分１０２ａがコンピュータ３１０のスクリーン３１０ａを越える突出の程度を変更することができるような手法で構成されうる。
【００９７】
例えば、スピーカ装置１００の本体部分１０２ｂは、本体部分１０２ｂが可変的に伸長又は短縮されうるように複数の伸縮式部分（不図示）を含みうる。このようにして、スピーカ装置１００の上部部分１０２ａがコンピュータ３１０のスクリーン３１０ａを越える突出の程度を変更することができる。
【００９８】
更に、先に述べたように、ハウジング１０２は基部部分１０３に着脱可能に結合されうる。明らかに、基部部分１０３は、スピーカ装置１００の上部部分１０２ａがコンピュータ３１０のスクリーン３１０ａを越える突出の程度を変更するにあたり柔軟性を更に提供することができる。
【００９９】
このようにして、出力信号はコンピュータ３１０のスクリーン３１０ａによって大幅に遮られることなくスピーカドライバアレイ１０４により出力されうる。従って、出力信号がスクリーン３１０ａによって大幅に弱められないためスクリーン３１０ａに向かう使用者の音声享受が損なわれることはない。
【０１００】
先に述べたように、スピーカドライバアレイ１０４は上部部分１０２ａに収容されうる。更に、スピーカドライバアレイ１０４は複数のスピーカドライバを含みうる。例えば、スピーカドライバアレイ１０４は上述の第１のスピーカドライバ１０４ａ及び第２のスピーカドライバ１０４ｂを含みうる。更に、先に述べたように、第１のスピーカ及び第２のスピーカはそれぞれ第１の放射方向１１６ａ及び第２の放射方向１１６ｂと関連付けられうる。
【０１０１】
一実施形態においては、コンピュータ３１０のスクリーン３１０ａに向かう使用者によって使用されるコンピュータ３１０の背後に配置される場合、スピーカ装置１００は、更に、第１の放射方向１１６ａが使用者に対して実質的に軸線上であり、第２の放射方向１１６ｂが使用者に対して実質的に軸線外であるように配置されうる。
【０１０２】
別の実施形態においては、コンピュータ３１０のスクリーン３１０ａに向かう使用者によって使用されるコンピュータ３１０の背後に配置される場合、スピーカ装置１００は、更に、第２の放射方向１１６ｂが使用者に対して実質的に軸線上であり、第１の放射方向１１６ａが使用者に対して実質的に軸線外であるように配置されうる。
【０１０３】
更に別の実施形態においては、コンピュータ３１０のスクリーン３１０ａに向かう使用者によって使用されるコンピュータ３１０の背後に配置される場合、スピーカ装置１００は、更に、第１の放射方向１１６ａ及び第２の放射方向１１６ｂの双方が使用者に対して実質的に軸線外であるように配置されうる。
【０１０４】
明らかに、スピーカドライバアレイ１０４の第１のスピーカドライバ１０４ａと第２のスピーカドライバ１０４ｂとが異なる方向を向くため、第１のスピーカドライバ１０４ａ及び第２のスピーカドライバ１０４ｂが、例えば、第１のスピーカドライバ１０４ａが第２のスピーカドライバ１０４ｂの上にある積み重ね構成で配置されていても、出力信号に関連するステレオ効果を使用者が聞き取れる程度に認識することがなお可能とされうる。
【０１０５】
このようにして、スピーカドライバからの出力信号のステレオ効果を実質的に損なうことなくスピーカドライバの位置に関してコンパクトな配置が使用者に提供されうる。
【０１０６】
加えて、先に述べたように、第１のスピーカドライバ１０４ａ及び第２のスピーカドライバ１０４ｂは、一実施形態においては、可変配置で配置されうる。この点については、第１のスピーカドライバ１０４ａ及び第２のスピーカドライバ１０４ｂは角変位の程度を変更することができるように柔軟性を有して配置されうる。従って、出力信号のステレオ効果を高めるための調節における柔軟性が使用者に提供されうる。
【０１０７】
加えて、更に先に述べたように、ハウジング１０２は、ハウジング１０２が基部部分１０３において回転可能であるように基部部分１０３に結合されうる。従って、出力信号のステレオ効果を高めるための調節における柔軟性が使用者に更に提供されうる。
【０１０８】
更に、スピーカ装置１００により、ケーブル又は有線接続の使用が最小限になるという利点が使用者に提供されうると考えられる。これは、スピーカアレイ１０４がハウジング１０２によって支持され、スピーカ装置１００の、コンピュータへの接続が有線接続又は無線接続の１つ又は両方とされうるためである。有線接続は、例えば、ＵＳＢ接続の形態とすることができる。
【０１０９】
前述の手法においては、前述の欠点の少なくとも１つに対処するための本開示の種々の実施形態を記載した。そのような実施形態は以下の特許請求の範囲により包含されることが意図され、記載した部品の特定の形態又は配置に限定されるものではなく、当業者には、本開示に鑑み、多数の変更及び／又は修正を施すことができ、それらもまた以下の特許請求の範囲により包含されることが意図されることは明らかであろう。
【図１ａ】
2015502109.tif 000003
【図１ｂ】
2015502109.tif 000004
【図２】
2015502109.tif 000005
【図３】
2015502109.tif 000006
【国際調査報告】
2015502109.tif 000007
2015502109.tif 000008
2015502109.tif 000009